(57)【要約】      （修正有）【課題】スタンドのスリットにおける２つのコーナ部でクラックや割れ等が生じないようにして仕切りパネルを直立状態に安定して支持することができるパーテーションを提供する。【解決手段】仕切りパネル２をスタンド１のスリット１０に差し込んで直立状態に支持するパーテーションである。スリット１０は、仕切りパネル２の板厚と略等しいスリット幅ｗを有し、スリット長さ方向に延びる２つの内面１１、１２と、内面１１、１２の基端と連続する水平底面１３とを有する。スリット１０における内面１１、１２と水平底面１３とが連続する２つのコーナ部１４ａ、１４ｂには、スリット１０に仕切りパネル２の下端部を差し込んだ状態で仕切りパネル２の下端面２３の両エッジ部２４ａ、２４ｂが当接して干渉しないように内面１１、１２側を凹ませて逃がし凹部１５ａ、１５ｂが形成されている。【選択図】図３
0003232184.tif 000002
【実用新案登録請求の範囲】
【請求項１】
アクリル板製の仕切りパネルと、上方に開放する細長いスリットが形成されたアクリル板製のスタンドとを備え、前記仕切りパネルを前記スタンドのスリットに差し込んで直立状態に支持するパーテーションにおいて、
前記スリットは、前記仕切りパネルの板厚と略等しいスリット幅を有し、スリット長さ方向に延びる２つの内面と、前記内面の基端と連続する水平底面とを有し、
前記スリットにおける前記内面と前記水平底面とが連続する２つのコーナ部には、前記スリットに前記仕切りパネルの下端部を差し込んだ状態で前記仕切りパネルの下端面の両エッジ部が当接して干渉しないように前記内面側を凹ませて逃がし凹部が形成されているパーテーション。
【請求項２】
請求項１に記載のパーテーションにおいて、
前記逃がし凹部は、前記仕切りパネルの下端面の両エッジ部が当接しないようにＲ形状に形成されているパーテーション。
【請求項３】
請求項１又は２に記載のパーテーションにおいて、
前記仕切りパネルは、前記スタンドのスリットに差し込む下端面の両エッジ部が面取りされた非直角面に形成されているパーテーション。
【請求項４】
請求項１〜３のいずれか１項に記載のパーテーションにおいて、
前記スタンドを支持するアクリル板製のスタンド支持台を更に備え、
前記スタンドは、下辺に略矩形状の差込片が突出して形成され、
前記スタンド支持台は、前記差込片を嵌め込むために前記差込片の外周形状と略等しい長方形形状に形成された長孔を有し、
前記長孔における長辺と短辺とが連続する４つのコーナ部には、前記スタンドの差込片を嵌め込んだ状態で前記差込片の外周の角部が当接しないように前記長孔の長辺側を凹ませてＲ形状の逃がし孔部が形成されているパーテーション。
【考案の詳細な説明】
【技術分野】
【０００１】
本考案は、カウンターやテーブル等に設置して対面者間を仕切るパーテーションに関する。
【背景技術】
【０００２】
従来、パーテーションとして、透明アクリル板製の略矩形状の仕切りパネルと、一対の透明アクリル板製のスタンドとを備え、前記スタンドには、前記仕切りパネルを差し込み可能とする細長いスリットが上方に開放するように形成され、前記仕切りパネルを前記スタンドのスリットに差し込んで直立状態に支持するものが知られている（特許文献１、２等）。このようなパーテーションは、オフィスや飲食店等の様々な店舗にてカウンターやテーブル等に設置して対面者間を仕切るために使用され、最近では、新型コロナウイルス感染症（ＣＯＶＩＤ−１９）をはじめとするウイルス等の飛沫感染予防対策として普及されている。
【先行技術文献】
【特許文献】
【０００３】
【特許文献１】実用新案登録第３２２８８５３号公報
【特許文献２】実用新案登録第３２２９９８８号公報
【考案の概要】
【考案が解決しようとする課題】
【０００４】
ところで、前記スタンドは、通常、レーザー加工により素材の透明アクリル板から切り出すとともに、スリットもレーザー加工により形成される。図５に示すように、前記スリット１１０は、前記仕切りパネル１０２の板厚と略等しいスリット幅ｗを有し、スリット長さ方向に延びる２つの内面１１１，１１２と、前記内面１１１，１１２の下端と連続する水平底面１１３とを有する。前記スリット１１０をレーザー加工で形成する際に、スリット１１０における内面１１１，１１２と水平底面１１３とが連続する２つのコーナ部１１４ａ，１１４ｂを直角に加工することは難しく、各コーナ部１１４ａ，１１４ｂは円弧状に形成される。なお、エンドミル等の工具でスリットを形成した場合でも、スリット１１０の２つのコーナ部１１４ａ，１１４ｂは円弧状に形成され得る。そのため、スタンド１０１のスリット１１０に仕切りパネル１０２を差し込むと、仕切りパネル１０２の下端面１２３の両エッジ部１２４ａ，１２４ｂがスリット１１０の円弧状コーナ部１１４ａ，１１４ｂに当接して干渉し、仕切りパネル１０２の下端面１２３がスリット１１０の水平底面１１３に接地されず、浮き上がった状態で保持される。このような取り付け状態では、スリット１１０の円弧状コーナ部１１４ａ，１１４ｂに仕切りパネル１０２のエッジ部１２４ａ，１２４ｂが接触（点当たり・線当たり）することによって、この円弧状コーナ部１１４ａ，１１４ｂのエッジ接触部分に仕切りパネル１０２の重量が一点集中して大きな応力が作用し、スタンド１０１のスリット端にクラック３００が生じたり、クラック３００を起点にスタンド１０１が割れたりするという問題があった。
【０００５】
なお、スリット１１０の円弧状コーナ部１１４ａ，１１４ｂに仕切りパネル１０２のエッジ部１２４ａ，１２４ｂが接触しないように、スリット幅ｗを広幅とすることも考えられるが、この場合、広幅のスリット１１０に差し込んだ仕切りパネル１０２が設置場所での振動や風などでガタガタ揺れ動いて不安定に支持されるという不都合が生じる。そのため、スリット幅ｗは、仕切りパネル１０２を差し込み可能とするクリアランス（公差）を有しながら仕切りパネル１０２の板厚と略等しいスリット幅ｗとすることが求められる。
【０００６】
本考案は、前記事情に鑑みてなされたものであり、スタンドのスリットにおける２つのコーナ部でクラックや割れ等の破損が生じないないようにして、仕切りパネルを直立状態に安定して支持することができるパーテーションを提供することを目的とする。
【課題を解決するための手段】
【０００７】
本考案に係るパーテーションは、
アクリル板製の仕切りパネルと、上方に開放する細長いスリットが形成されたアクリル板製のスタンドとを備え、前記仕切りパネルを前記スタンドのスリットに差し込んで直立状態に支持するパーテーションにおいて、
前記スリットは、前記仕切りパネルの板厚と略等しいスリット幅を有し、スリット長さ方向に延びる２つの内面と、前記内面の基端と連続する水平底面とを有し、
前記スリットにおける前記内面と前記水平底面とが連続する２つのコーナ部には、前記スリットに前記仕切りパネルの下端部を差し込んだ状態で前記仕切りパネルの下端面の両エッジ部が当接して干渉しないように前記内面側を凹ませて逃がし凹部が形成されている構成とする。
例えば、前記逃がし凹部は、前記仕切りパネルの下端面の両エッジ部が当接しないようにＲ形状に形成することができる。
【０００８】
前記構成より、スタンドのスリットに仕切りパネルを差し込んだ状態では、前記逃がし凹部によって、スリットの２つのコーナ部に前記仕切りパネルの下端面の両エッジ部が当接して干渉することがなく、仕切りパネルの下端面をスリットの水平底面に接地させることができる。従って、スリットのコーナ部に仕切りパネルの重量が一点集中して大きな応力が作用することはないから、スタンドのスリット端にクラックが生じたり、クラックを起点にスタンドが割れたりすることが防止される。また、スタンドのスリットは、前記仕切りパネルの板厚と略等しいスリット幅を有するので、スリットに差し込んだ仕切りパネルの表裏のパネル面がスリットの対向する２つの内面によって挟持されるから、仕切りパネルがスリット内でガタ付くこともない。よって、スタンドのスリット端にクラックや破損を生じさせることなく、仕切りパネルを安定した状態で設置することができる。
【０００９】
また、レーザー加工によりスタンドのスリットを形成する場合にスリットの２つのコーナ部が円弧状に形成されても、レーザー加工によりＲ形状の前記逃がし凹部を形成することができる。これにより、レーザー加工によりスタンドを形成する場合であっても、Ｒ形状の前記逃がし凹部によって、スタンドのスリットに仕切りパネルを差し込んだ状態でスリットの２つのコーナ部に前記仕切りパネルの下端面の両エッジ部が当接して干渉することがなく、仕切りパネルの下端面をスリットの水平底面に接地させることができる。従って、レーザー加工により素材のアクリル板からスタンドを容易に製作することができる。
【００１０】
前記パーテーションにおいて、
前記仕切りパネルは、前記スタンドのスリットに差し込む下端面の両エッジ部が面取りされた非直角面に形成するようにしてもよい。この場合、スタンドのスリットに仕切りパネルを差し込んだ状態では、前記仕切りパネルの下端面の両エッジ部がスリットの２つのコーナ部に当接して応力が一点集中することを一層確実に防止することができる。
【００１１】
また、前記パーテーションにおいて、
前記スタンドを支持するアクリル板製のスタンド支持台を更に備え、
前記スタンドは、下辺に略矩形状の差込片が突出して形成され、
前記スタンド支持台は、前記差込片を嵌め込むために前記差込片の外周形状と略等しい長方形形状に形成された長孔を有し、
前記長孔における長辺と短辺とが連続する４つのコーナ部には、前記スタンドの差込片を嵌め込んだ状態で前記差込片の外周の角部が当接しないように前記長孔の長辺側を凹ませてＲ形状の逃がし孔部が形成されているものとしてもよい。
【００１２】
この場合、スタンド支持台の長孔における４つのコーナ部でも、逃がし孔部によって、スタンドの差込片の外周の角部が当接して応力が一点集中することが防止される。従って、スタンド支持台の長孔のコーナ部でクラックが生じたり、クラックを起点にスタンド支持台が破損したりすることを防止することができる。
【考案の効果】
【００１３】
以上のように、本考案に係るパーテーションによれば、スタンドのスリットに逃がし凹部を形成することで、スリットの２つのコーナ部でクラックが生じたりスタンドが割れたりする等の破損が生じないようにすることができる。従って、スタンドを破損させることなく、仕切りパネルを直立状態に安定して設置することができる。
【図面の簡単な説明】
【００１４】
【図１】実施形態によるパーテーションを示す斜視図である。
【図２】実施形態によるパーテーションのスタンドとスタンド支持台とを示す分解斜視図である。
【図３】実施形態によるパーテーションにおけるスタンドのスリットに仕切りパネルを差し込んだ状態を示す拡大断面図である。
【図４】実施形態によるパーテーションにおけるスタンドの下面とともにスタンド支持台を示す平面図である。
【図５】従来のパーテーションにおけるスタンドのスリットに仕切りパネルを差し込んだ状態を示す拡大断面図である。
【考案を実施するための形態】
【００１５】
以下に、本考案の実施形態について添付図面を参照しながら説明する。
図１〜図４に示すように、実施形態によるパーテーションＰは、略矩形状の仕切りパネル２と、仕切りパネル２の下端部に取り付けられる一対の略台形状のスタンド１と、各スタンド１の下に設置される略矩形状のスタンド支持台３とにより構成されている。このパーテーションＰは、例えば、オフィスや飲食店等の様々な店舗にてカウンターやテーブル等に設置して対面者間を仕切るために使用される。最近では、新型コロナウイルス感染症（ＣＯＶＩＤ−１９）をはじめとするウイルス等の飛沫感染予防対策として普及されている。
【００１６】
仕切りパネル２、スタンド１、スタンド支持台３は、いずれも、素材の透明アクリル板をレーザー加工することにより形成されている。なお、本考案では、パーテーションＰの各パーツ１，２，３は、レーザー加工に限らず、他のカッター、エンドミル等の工具での加工手段で形成してもよい。
【００１７】
仕切りパネル２は、下端部を一対のスタンド１に取り付けて直立状態に支持される。すなわち、一対のスタンド１は、上辺で開放した細長いスリット１０が形成されており、このスリット１０に仕切りパネル２を差し込むことにより、仕切りパネル２が直立状態に支持される。スリット１０は、仕切りパネル２を差し込み可能とするクリアランス（公差）を有しながら仕切りパネル２の板厚と略等しいスリット幅ｗを有し、このスリット幅ｗを隔てて対向してスリット長さ方向に延びる２つの内面１１，１２と、内面１１，１２の下端と連続し仕切りパネル２の下端面２３が接地する水平底面１３とを有する。なお、本実施形態では、スタンド１は、一対有するが、１つだけ有する場合でもよいし、３つ以上の複数有する場合でもよい。
【００１８】
スリット１０は、スタンド１の上辺から下端部近くまで形成されている。従って、仕切りパネル２の左右に一対のスタンド１を配置して、各スタンド１のスリット１０に仕切りパネル２を差し込むと、仕切りパネル２の下端面２３がこのパーテーションＰを配置する配置面近くまで下げられるから、仕切りパネル２の重心を低くして仕切りパネル２が安定して支持される。なお、仕切りパネル２は、スタンド１のスリット１０に差し込む部分にスタンド１のスリット１０と嵌り合うように仕切りパネル２の下端面２３に開放するスリット溝を形成するようにし、仕切りパネル２の下端面２３がパーテーションＰの配置面に当接するか、接地面近くに配置されるようにしてもよい。
【００１９】
ところで、従来のパーテーションでは、スタンド１０１のスリット１１０における内面１１１，１１２と水平底面１１３とが連続する２つのコーナ部１１４ａ，１１４ｂが円弧状に形成されているため、スリット１１０の円弧状コーナ部１１４ａ，１１４ｂに仕切りパネル１０２のエッジ部１２４ａ，１２４ｂが接触（点当たり・線当たり）することによって、円弧状コーナ部１１４ａ，１１４ｂに応力が集中して、スタンド１０１のスリット１１０端にクラック３００が生じたり、このクラック３００を起点にスタンド１０１が割れたりするという問題があった（本明細書の「考案が解決しようとする課題」を参照）。
【００２０】
本実施形態では、スタンド１のスリット１０における２つのコーナ部１４ａ，１４ｂには、スリット１０に仕切りパネル２を差し込んだ状態で仕切りパネル２の下端面２３の両エッジ部２４ａ，２４ｂが当接して干渉しないように内面１１，１２側を凹ませてＲ形状の逃がし凹部１５ａ，１５ｂが形成されている（図３参照）。これにより、スタンド１のスリット１０に仕切りパネル２を差し込んだ状態では、対向する逃がし凹部１５ａ，１５ｂによって、スリット１０の２つのコーナ部１４ａ，１４ｂに仕切りパネル２の下端面２３の両エッジ部２４ａ，２４ｂが当接して干渉することがなく、仕切りパネル２の下端面２３をスリット１０の水平底面１３に接地させることができる。従って、スリット１０のコーナ部１４ａ，１４ｂに仕切りパネル２の重量が一点集中して大きな応力が作用することはないから、スタンド１のスリット端にクラック３００が生じたり、クラック３００を起点にスタンド１が割れたりすることが防止される。また、スリット１０の幅ｗは、仕切りパネル２の板厚と略等しいスリット幅ｗを有するので、スリット１０に差し込んだ仕切りパネル２の表裏のパネル面２１，２２がスリット１０の対向する２つの内面１１，１２によって挟持されるから、仕切りパネル２がスリット１０内でガタ付くこともない。よって、スタンド１のスリット端にクラック３００や割れ等の破損を生じさせることなく、仕切りパネル２を安定した状態で設置することができる。
【００２１】
また、レーザー加工によりスタンド１のスリット１０を形成する場合、レーザー光の形状や走査等によりスリット１０の２つのコーナ部１４ａ，１４ｂが円弧状に形成されても、レーザー加工によりＲ形状の逃がし凹部１５ａ，１５ｂを形成すればよい。これにより、レーザー加工により素材のアクリル板からスタンド１を形成する場合であっても、Ｒ形状の逃がし凹部１５ａ，１５ｂによって、スタンド１のスリット１０に仕切りパネル２を差し込んだ状態でスリット１０の２つのコーナ部１４ａ，１４ｂに仕切りパネル２の下端面２３の両エッジ部２４ａ，２４ｂが当接して干渉することがなく、仕切りパネル２の下端面２３をスリット１０の水平底面１３に接地させることができる。従って、レーザー加工により素材のアクリル板からスタンド１を容易に製作することができる。
【００２２】
なお、本実施形態では、スタンド１のスリット１０のスリット幅ｗは、仕切りパネル２の板厚３．０ｍｍに対して、クリアランス０．２ｍｍを確保しつつ３．２ｍｍである。スリット長さは１１５ｍｍである。スリット１０の各逃がし凹部１５ａ，１５ｂは、水平底面１３からスリット長さ方向に５ｍｍの範囲で、スリット１０の内面１１，１２から最大１．５ｍｍの凹み量を有する。
【００２３】
また、スタンド１には、下辺の両端部を除く所定範囲に下方に突出する差込片１６が形成されている。スタンド１の差込片１６は、パーテーションＰの配置面に平置きにされるアクリル板製のスタンド支持台３に取り付けられる。すなわち、スタンド支持台３には、スタンド１の差込片１６を差し込み可能とするクリアランス（公差）を有しながら差込片１６の外周形状と略等しい大きさを有する長方形形状の長孔３０が中央位置に形成されており、この長孔３０に差込片１６を嵌め込むことにより、スタンド１が傾いたり倒れたりしないように安定して直立状態に自立可能に設置される。このスタンド１の差込片１６は、長手側の幅が下端に向かって少しずつ短くなるように逆台形状に形成されており、スタンド支持台３の長孔３０に嵌め込み易くするように形成されている。スタンド１の差込片１６をスタンド支持台３の長孔３０に配置すると、長孔３０のクリアランスによる遊びも含めて差込片１６が長孔３０の長手方向に僅かに動くことができる。
【００２４】
一方、スタンド支持台３の長孔３０を構成する長辺３１ａ，３１ｂと短辺３２ａ，３２ｂとが連続する４つのコーナ部３３ａ，３３ｂ，３３ｃ，３３ｄには、スタンド１の差込片１６を嵌め込んだ状態で差込片１６の外周の角部１７ａ，１７ｂ，１７ｃ，１７ｄが当接しないように長辺３１ａ，３１ｂ側を凹ませてＲ形状の逃がし孔部３４ａ，３４ｂ，３４ｃ，３４ｄが形成されている（図４参照）。従って、スタンド１の差込片１６が長孔３０の長手方向に動いても、スタンド支持台３の長孔３０における４つのコーナ部３３ａ〜３３ｄでも、逃がし孔部３４ａ〜３４ｄによって、スタンド１の差込片１６の角部１７ａ〜１７ｄが当接して応力が一点集中することが防止される。従って、スタンド支持台３の長孔３０のコーナ部３３ａ〜３３ｄでクラックが生じたり、クラックを起点にスタンド支持台３が割れたりする等の破損が生じることを防止することができる。
【００２５】
なお、実施形態では、スタンド１の差込片１６は、突出長さが４．５ｍｍであり、最大外径となる基端部では、長辺１１８ｍｍ、短辺４．６ｍｍであり、最小外径となる先端部（下端）では、長辺１１６ｍｍ、短辺４．６ｍｍである。スタンド支持台３の長孔３０は、長辺１２０ｍｍ、短辺４．８ｍｍである。すなわち、この長孔３０は、スタンド１の差込片１６の最大外径（長辺１１８ｍｍ、短辺４．６ｍｍ）に対して、長辺側及び短辺側のそれぞれでクリアランス０．２ｍｍを確保している。長孔３０の各逃がし孔部３４ａ〜３４ｄは、短辺から長孔３０の長さ方向に５ｍｍの範囲で、長辺から最大１．６ｍｍの凹み量を有する。
【００２６】
なお、本考案は、前記実施形態に限定されるものではなく、実用新案登録請求の範囲の記載に基づいて適宜に変更して実施することができる。
例えば、本考案のパーテーションＰは、スタンド支持台３を設けない構成としてもよい。また、スタンド支持台３を設けない場合は、スタンド１には差込片１６を設けない構成としてもよい。
また、仕切りパネル２は、スタンド１のスリット１０に差し込む下端面２３のエッジ部２４ａ，２４ｂが面取りされたＣ面又はＲ面等の非直角面に形成されるようにしてもよい。この場合、スタンド１のスリット１０に仕切りパネル２を差し込んだ状態で仕切りパネル２の下端面２３の両エッジ部２４ａ，２４ｂが２つのコーナ部１４ａ，１４ｂに当接して応力が一点集中することを一層確実に防止することができる。
【符号の説明】
【００２７】
１  スタンド
２  仕切りパネル
３  スタンド支持台
１０  スリット
１１，１２  内面
１３  水平底面
１４ａ，１４ｂ  コーナ部
１５ａ，１５ｂ  逃がし凹部
１６  差込片
１７ａ，１７ｂ，１７ｃ，１７ｄ  角部
２１  パネル面（表面）
２２  パネル面（裏面）
２３  下端面
２４ａ，２４ｂ  エッジ部
３０  長孔
３１ａ，３１ｂ  長辺
３２ａ，３２ｂ  短辺
３３ａ，３３ｂ，３３ｃ，３３ｄ  長孔のコーナ部
３４ａ，３４ｂ，３４ｃ，３４ｄ  長孔の逃がし孔部
３００  クラック
Ｐ  パーテーション
ｗ  スリット幅
【図１】
0003232184.tif 000003
【図２】
0003232184.tif 000004
【図３】
0003232184.tif 000005
【図４】
0003232184.tif 000006
【図５】
0003232184.tif 000007